(57)【要約】【課題】  ＧＳＭ及びＷ−ＣＤＭＡの両方式に対応する移動体通信において、移動体通信端末装置がＧＳＭ側の着信に対する待ち受け状態となっている場合であっても、Ｗ−ＣＤＭＡ側の着信を受け付けることを可能とする。【解決手段】  コアネットワーク４は、Ｗ−ＣＤＭＡ側の着信が発生した場合に、その旨を示す情報を、移動体通信端末装置１に通知する。移動体通信端末装置１は、ＧＳＭ側の着信に対する待ち受け状態時に、Ｗ−ＣＤＭＡ側の着信が発生した旨を示す情報を受信した場合に、Ｗ−ＣＤＭＡ側の着信に対する待ち受け状態に切り替える処理を行う。【選択図】    図３
2005269394.tif 000002
【特許請求の範囲】
【請求項１】
ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）及びＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）の両方式による通信が可能に構成された移動体通信端末装置において、
ＧＳＭ側の着信に対する待ち受け状態時に、当該移動体通信端末装置に対してＷ−ＣＤＭＡ側の着信が発生した旨を示すＷ−ＣＤＭＡ着信発生通知情報を受信した場合に、Ｗ−ＣＤＭＡ側の着信に対する待ち受け状態に切り替える切替処理を行う待受状態切替手段を備えることを特徴とする移動体通信端末装置。
【請求項２】
前記待受状態切替手段は、前記Ｗ−ＣＤＭＡ着信発生通知情報を、ＧＳＭ方式による通信を制御するＧＳＭネットワーク装置から受信した場合に、前記切替処理を行うことを特徴とする請求項１に記載の移動体通信端末装置。
【請求項３】
前記切替処理後に、前記Ｗ−ＣＤＭＡ着信発生通知情報に応答するＷ−ＣＤＭＡ着信発生通知応答メッセージを、Ｗ−ＣＤＭＡ方式による通信を制御するＷ−ＣＤＭＡネットワーク装置に送信する通知応答メッセージ送信手段を備えることを特徴とする請求項２に記載の移動体通信端末装置。
【請求項４】
前記待受状態切替手段は、前記Ｗ−ＣＤＭＡ着信発生通知情報を、ＧＳＭ及びＷ−ＣＤＭＡの両方式による通信を統括制御するコアネットワーク装置から受信した場合に、前記切替処理を行うことを特徴とする請求項１に記載の移動体通信端末装置。
【請求項５】
前記Ｗ−ＣＤＭＡ着信発生通知情報を受信した場合に、通信を一旦切断する切断処理手段と、
前記Ｗ−ＣＤＭＡ着信発生通知情報を受信した場合に、通信を一旦切断する旨の切断メッセージを前記コアネットワーク装置に送信する切断メッセージ送信手段と、
を備えることを特徴とする請求項４に記載の移動体通信端末装置。
【請求項６】
前記切断メッセージには、Ｗ−ＣＤＭＡ側の通信への移行を要求するメッセージが含まれていることを特徴とする請求項５に記載の移動体通信端末装置。
【請求項７】
当該移動体通信端末装置は、携帯電話機であることを特徴とする請求項１乃至６のいずれか一項に記載の移動体通信端末装置。
【請求項８】
ＧＳＭ及びＷ−ＣＤＭＡの両方式による通信を統括制御するコアネットワーク装置において、
請求項１乃至７のいずれか一項に記載の移動体通信端末装置に対してＷ−ＣＤＭＡ側の着信が発生したことを検出した場合に、該移動体通信端末装置に対してＷ−ＣＤＭＡ側の着信が発生した旨を示すＷ−ＣＤＭＡ着信発生通知情報を、該移動体通信端末装置に通知するＷ−ＣＤＭＡ着信発生通知手段を備えることを特徴とするコアネットワーク装置。
【請求項９】
ＧＳＭ及びＷ−ＣＤＭＡの両方式による通信を統括制御するコアネットワーク装置において、
請求項２又は３に記載の移動体通信端末装置に対してＷ−ＣＤＭＡ側の着信が発生したことを検出した場合に、該移動体通信端末装置に対してＷ−ＣＤＭＡ側の着信が発生した旨を示すＷ−ＣＤＭＡ着信発生通知情報を、ＧＳＭ方式による通信を制御するＧＳＭネットワーク装置、及び、Ｗ−ＣＤＭＡ方式による通信を制御するＷ−ＣＤＭＡネットワーク装置の各々を介して前記移動体通信端末装置に送信するＷ−ＣＤＭＡ着信発生通知手段を備えることを特徴とするコアネットワーク装置。
【請求項１０】
前記Ｗ−ＣＤＭＡ着信発生通知手段は、前記Ｗ−ＣＤＭＡ着信発生通知情報を、ページング要求に添付して送信することを特徴とする請求項９に記載のコアネットワーク装置。
【請求項１１】
前記Ｗ−ＣＤＭＡ着信発生通知情報に応答するＷ−ＣＤＭＡ着信発生通知応答メッセージを、前記着信に該当する移動体通信端末装置から、前記Ｗ−ＣＤＭＡネットワーク装置を介して受信した場合に、該着信を継続させる処理を行う着信継続処理手段を備えることを特徴とする請求項１０に記載のコアネットワーク装置。
【請求項１２】
ＧＳＭ及びＷ−ＣＤＭＡの両方式による通信を統括制御するコアネットワーク装置において、
請求項４乃至６のいずれか一項に記載の移動体通信端末装置に対してＷ−ＣＤＭＡ側の着信が発生したことを検出した場合に、ページング要求を、ＧＳＭ方式による通信を制御するＧＳＭネットワーク装置、及び、Ｗ−ＣＤＭＡ方式による通信を制御するＷ−ＣＤＭＡネットワーク装置の各々を介して前記移動体通信端末装置に送信するページング要求送信手段と、
前記ページング要求に基づくページング応答メッセージを、前記着信に該当する移動体通信端末装置から、前記ＧＳＭネットワーク装置を介して受信した場合に、該移動体通信端末装置に対してＷ−ＣＤＭＡ側の着信が発生した旨を示すＷ−ＣＤＭＡ着信発生通知情報を、前記Ｗ−ＣＤＭＡネットワーク装置を介して前記移動体通信端末装置に送信するＷ−ＣＤＭＡ着信発生通知手段と、
を備えることを特徴とするコアネットワーク装置。
【請求項１３】
前記Ｗ−ＣＤＭＡ着信発生通知手段は、前記Ｗ−ＣＤＭＡ着信発生通知情報として、ＳＭＳ（Ｓｈｏｒｔ  Ｍｅｓｓａｇｅ  Ｓｅｒｖｉｃｅ）メッセージ又はＵＳＳＤ（Ｕｎｓｔｒｕｃｔｕｒｅｄ  Ｓｕｐｐｌｅｍｅｎｔ  Ｓｅｒｖｉｃｅ  Ｄａｔａ）を送信することを特徴とする請求項１２に記載のコアネットワーク装置。
【請求項１４】
前記Ｗ−ＣＤＭＡ着信発生通知情報に応答して通信を一旦切断する旨の切断メッセージを、前記着信に該当する移動体通信端末装置から、前記ＧＳＭネットワーク装置を介して受信した場合に、再度のページング要求を、前記Ｗ−ＣＤＭＡネットワーク装置を介して前記移動体通信端末装置に対して送信する再ページング要求送信手段と、
前記再度のページング要求に応答するページング応答メッセージを、前記移動体通信端末装置から、前記Ｗ−ＣＤＭＡネットワーク装置を介して受信した場合に、着信を継続させる処理を行う着信継続処理手段と、
を備えることを特徴とする請求項１２又は１３に記載のコアネットワーク装置。
【請求項１５】
ＧＳＭ方式による通信を制御するＧＳＭネットワーク装置において、
請求項９乃至１１のいずれか一項に記載のコアネットワーク装置から、ページング要求に添付された前記Ｗ−ＣＤＭＡ着信発生通知情報を受信した場合に、該Ｗ−ＣＤＭＡ着信発生通知情報を、該当する移動体通信端末装置に対し、ページングメッセージに添付して送信するページングメッセージ送信手段を備えることを特徴とするＧＳＭネットワーク装置。
【請求項１６】
前記Ｗ−ＣＤＭＡ着信発生通知情報に応答するＷ−ＣＤＭＡ着信発生通知応答メッセージを、前記着信に該当する移動体通信端末装置から受信した場合に、前記コアネットワーク装置に転送する処理を行うことを特徴とする請求項１５に記載のＧＳＭネットワーク装置。
【請求項１７】
請求項８に記載のコアネットワーク装置と、
ＧＳＭ方式による通信を制御するＧＳＭネットワーク装置と、
Ｗ−ＣＤＭＡ方式による通信を制御するＷ−ＣＤＭＡネットワーク装置と、
を備えることを特徴とする移動体通信システム。
【請求項１８】
請求項９乃至１１のいずれか一項に記載のコアネットワーク装置と、
請求項１５又は１６に記載のＧＳＭネットワーク装置と、
Ｗ−ＣＤＭＡ方式による通信を制御するＷ−ＣＤＭＡネットワーク装置と、
を備えることを特徴とする移動体通信システム。
【請求項１９】
請求項１２乃至１４のいずれか一項に記載のコアネットワーク装置と、
ＧＳＭ方式による通信を制御するＧＳＭネットワーク装置と、
Ｗ−ＣＤＭＡ方式による通信を制御するＷ−ＣＤＭＡネットワーク装置と、
を備えることを特徴とする移動体通信システム。
【請求項２０】
ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）及びＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）の両方式による通信を行う移動体通信方法において、
ＧＳＭ及びＷ−ＣＤＭＡの両方式による通信が可能な移動体通信端末装置に対してＷ−ＣＤＭＡ側の着信が発生した場合に、該移動体通信端末装置に対し、Ｗ−ＣＤＭＡ側の着信が発生した旨を示すＷ−ＣＤＭＡ着信発生通知情報を通知する工程と、
前記移動体通信端末装置がＧＳＭ側の着信に対する待ち受け状態時に前記Ｗ−ＣＤＭＡ着信発生通知情報を受信した場合に、該移動体通信端末装置の待受状態をＷ−ＣＤＭＡ側の着信に対する待ち受け状態に切り替える工程と、
を備えることを特徴とする移動体通信方法。
【請求項２１】
コンピュータ読み取り可能なプログラムにおいて、
請求項１乃至７のいずれか一項に記載の移動体通信端末装置による前記切替処理を実行することを特徴とするプログラム。
【請求項２２】
コンピュータ読み取り可能なプログラムにおいて、
請求項９乃至１４のいずれか一項に記載のコアネットワーク装置の前記Ｗ−ＣＤＭＡ着信発生通知手段による処理を実行することを特徴とするプログラム。
【請求項２３】
コンピュータ読み取り可能なプログラムにおいて、
請求項１５又は１６に記載のＧＳＭネットワーク装置の前記ページングメッセージ送信手段による処理を実行することを特徴とするプログラム。
【発明の詳細な説明】
【技術分野】
【０００１】
本発明は、移動体通信端末装置、ネットワーク装置、移動体通信システム及び移動体通信方法に関する。
【背景技術】
【０００２】
移動体通信方式として、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）方式及びＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式の両方式による通信が可能な方式がある（例えば、特許文献１参照）。
【特許文献１】特開２００３−２４４０２７号公報（第２−３頁）
【発明の開示】
【発明が解決しようとする課題】
【０００３】
従来、ＧＳＭ側の着信に対する待受状態となっている携帯電話機に対してＷ−ＣＤＭＡ側の着信があった場合でも、該携帯電話機はＧＳＭ側の無線通信部により応答していたため、（後述する第２の実施形態のステップＳ３０７に相当する処理の後で）コアネットワークが着信を継続できないと判断し、そのまま呼切断をしてしまっていた。
【０００４】
このため、ＧＳＭ側の着信に対し待ち受け中の携帯電話機は、Ｗ−ＣＤＭＡ側のサービス（例えば、ＴＶ電話など）に係る着信を受信しても、その着信を受け付けて通話状態に移行することができないという問題があった。
【０００５】
本発明は、上記のような問題点を解決するためになされたもので、ＧＳＭ及びＷ−ＣＤＭＡの両方式に対応する移動体通信において、移動体通信端末装置がＧＳＭ側の着信に対する待ち受け状態となっている場合であっても、Ｗ−ＣＤＭＡ側の着信を受け付けることを可能とする移動体通信端末装置、ネットワーク装置、移動体通信システム及び移動体通信方法を提供することを目的とする。
【課題を解決するための手段】
【０００６】
上記課題を解決するため、本発明の移動体通信端末装置は、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）及びＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）の両方式による通信が可能に構成された移動体通信端末装置において、ＧＳＭ側の着信に対する待ち受け状態時に、当該移動体通信端末装置に対してＷ−ＣＤＭＡ側の着信が発生した旨を示すＷ−ＣＤＭＡ着信発生通知情報を受信した場合に、Ｗ−ＣＤＭＡ側の着信に対する待ち受け状態に切り替える切替処理を行う待受状態切替手段を備えることを特徴としている。
【０００７】
本発明の移動体通信端末装置においては、前記待受状態切替手段は、前記Ｗ−ＣＤＭＡ着信発生通知情報を、ＧＳＭ方式による通信を制御するＧＳＭネットワーク装置から受信した場合に、前記切替処理を行うことが好ましい。
【０００８】
本発明の移動体通信端末装置においては、前記切替処理後に、前記Ｗ−ＣＤＭＡ着信発生通知情報に応答するＷ−ＣＤＭＡ着信発生通知応答メッセージを、Ｗ−ＣＤＭＡ方式による通信を制御するＷ−ＣＤＭＡネットワーク装置に送信する通知応答メッセージ送信手段を備えることが好ましい。
【０００９】
本発明の移動体通信端末装置においては、前記待受状態切替手段は、前記Ｗ−ＣＤＭＡ着信発生通知情報を、ＧＳＭ及びＷ−ＣＤＭＡの両方式による通信を統括制御するコアネットワーク装置から受信した場合に、前記切替処理を行うことが好ましい。
【００１０】
本発明の移動体通信端末装置においては、前記Ｗ−ＣＤＭＡ着信発生通知情報を受信した場合に、通信を一旦切断する切断処理手段と、前記Ｗ−ＣＤＭＡ着信発生通知情報を受信した場合に、通信を一旦切断する旨の切断メッセージを前記コアネットワーク装置に送信する切断メッセージ送信手段と、を備えることが好ましい。
【００１１】
本発明の移動体通信端末装置においては、前記切断メッセージには、Ｗ−ＣＤＭＡ側の通信への移行を要求するメッセージが含まれていることが好ましい。
【００１２】
本発明の移動体通信端末装置においては、当該移動体通信端末装置は、携帯電話機であることが好ましい。
【００１３】
本発明のコアネットワーク装置は、ＧＳＭ及びＷ−ＣＤＭＡの両方式による通信を統括制御するコアネットワーク装置において、本発明の移動体通信端末装置に対してＷ−ＣＤＭＡ側の着信が発生したことを検出した場合に、該移動体通信端末装置に対してＷ−ＣＤＭＡ側の着信が発生した旨を示すＷ−ＣＤＭＡ着信発生通知情報を、該移動体通信端末装置に通知するＷ−ＣＤＭＡ着信発生通知手段を備えることを特徴としている。
【００１４】
本発明のコアネットワーク装置は、ＧＳＭ及びＷ−ＣＤＭＡの両方式による通信を統括制御するコアネットワーク装置において、本発明の移動体通信端末装置に対してＷ−ＣＤＭＡ側の着信が発生したことを検出した場合に、該移動体通信端末装置に対してＷ−ＣＤＭＡ側の着信が発生した旨を示すＷ−ＣＤＭＡ着信発生通知情報を、ＧＳＭ方式による通信を制御するＧＳＭネットワーク装置、及び、Ｗ−ＣＤＭＡ方式による通信を制御するＷ−ＣＤＭＡネットワーク装置の各々を介して前記移動体通信端末装置に送信するＷ−ＣＤＭＡ着信発生通知手段を備えることを特徴としている。
【００１５】
本発明のコアネットワーク装置においては、前記Ｗ−ＣＤＭＡ着信発生通知手段は、前記Ｗ−ＣＤＭＡ着信発生通知情報を、ページング要求に添付して送信することが好ましい。
【００１６】
本発明のコアネットワーク装置においては、前記Ｗ−ＣＤＭＡ着信発生通知情報に応答するＷ−ＣＤＭＡ着信発生通知応答メッセージを、前記着信に該当する移動体通信端末装置から、前記Ｗ−ＣＤＭＡネットワーク装置を介して受信した場合に、該着信を継続させる処理を行う着信継続処理手段を備えることが好ましい。
【００１７】
本発明のコアネットワーク装置は、ＧＳＭ及びＷ−ＣＤＭＡの両方式による通信を統括制御するコアネットワーク装置において、本発明の移動体通信端末装置に対してＷ−ＣＤＭＡ側の着信が発生したことを検出した場合に、ページング要求を、ＧＳＭ方式による通信を制御するＧＳＭネットワーク装置、及び、Ｗ−ＣＤＭＡ方式による通信を制御するＷ−ＣＤＭＡネットワーク装置の各々を介して前記移動体通信端末装置に送信するページング要求送信手段と、前記ページング要求に基づくページング応答メッセージを、前記着信に該当する移動体通信端末装置から、前記ＧＳＭネットワーク装置を介して受信した場合に、該移動体通信端末装置に対してＷ−ＣＤＭＡ側の着信が発生した旨を示すＷ−ＣＤＭＡ着信発生通知情報を、前記Ｗ−ＣＤＭＡネットワーク装置を介して前記移動体通信端末装置に送信するＷ−ＣＤＭＡ着信発生通知手段と、を備えることを特徴としている。
【００１８】
本発明のコアネットワーク装置においては、前記Ｗ−ＣＤＭＡ着信発生通知手段は、前記Ｗ−ＣＤＭＡ着信発生通知情報として、ＳＭＳ（Ｓｈｏｒｔ  Ｍｅｓｓａｇｅ  Ｓｅｒｖｉｃｅ）メッセージ又はＵＳＳＤ（Ｕｎｓｔｒｕｃｔｕｒｅｄ  Ｓｕｐｐｌｅｍｅｎｔ  Ｓｅｒｖｉｃｅ  Ｄａｔａ）を送信することが好ましい。
【００１９】
本発明のコアネットワーク装置においては、前記Ｗ−ＣＤＭＡ着信発生通知情報に応答して通信を一旦切断する旨の切断メッセージを、前記着信に該当する移動体通信端末装置から、前記ＧＳＭネットワーク装置を介して受信した場合に、再度のページング要求を、前記Ｗ−ＣＤＭＡネットワーク装置を介して前記移動体通信端末装置に対して送信する再ページング要求送信手段と、前記再度のページング要求に応答するページング応答メッセージを、前記移動体通信端末装置から、前記Ｗ−ＣＤＭＡネットワーク装置を介して受信した場合に、着信を継続させる処理を行う着信継続処理手段と、を備えることが好ましい。
【００２０】
本発明のＧＳＭネットワーク装置は、ＧＳＭ方式による通信を制御するＧＳＭネットワーク装置において、本発明のコアネットワーク装置から、ページング要求に添付された前記Ｗ−ＣＤＭＡ着信発生通知情報を受信した場合に、該Ｗ−ＣＤＭＡ着信発生通知情報を、該当する移動体通信端末装置に対し、ページングメッセージに添付して送信するページングメッセージ送信手段を備えることを特徴としている。
【００２１】
本発明のＧＳＭネットワーク装置においては、前記Ｗ−ＣＤＭＡ着信発生通知情報に応答するＷ−ＣＤＭＡ着信発生通知応答メッセージを、前記着信に該当する移動体通信端末装置から受信した場合に、前記コアネットワーク装置に転送する処理を行うことが好ましい。
【００２２】
本発明の移動体通信システムは、本発明のコアネットワーク装置と、ＧＳＭ方式による通信を制御するＧＳＭネットワーク装置と、Ｗ−ＣＤＭＡ方式による通信を制御するＷ−ＣＤＭＡネットワーク装置と、を備えることを特徴としている。
【００２３】
本発明の移動体通信システムは、本発明のコアネットワーク装置と、本発明のＧＳＭネットワーク装置と、Ｗ−ＣＤＭＡ方式による通信を制御するＷ−ＣＤＭＡネットワーク装置と、を備えることを特徴とを特徴としている。
【発明の効果】
【００２４】
本発明によれば、コアネットワーク装置は、移動体通信端末装置に対してＷ−ＣＤＭＡ側の着信が発生した場合に、その旨を示す情報を、該移動体通信端末装置に通知する一方で、移動体通信端末装置は、ＧＳＭ側の着信に対する待ち受け状態時に、Ｗ−ＣＤＭＡ側の着信が発生した旨を示す情報を受信した場合に、Ｗ−ＣＤＭＡ側の着信に対する待ち受け状態に切り替える処理を行うので、移動体通信端末装置がＧＳＭ側の着信に対する待ち受け中であっても、Ｗ−ＣＤＭＡ側の着信が発生した場合には、その待ち受け状態をＷ−ＣＤＭＡ側の着信に対する待ち受け状態に切り替えさせることができる。
【００２５】
また、それらの一連の処理をＷ−ＣＤＭＡ側の同一の着信期間中に行うことにより、移動体通信端末装置は、該着信を逃すことなく、該着信に対し応答して通信状態へと移行することができる。
【発明を実施するための最良の形態】
【００２６】
以下、図面を参照して、本発明に係る実施形態について説明する。
【００２７】
〔第１の実施形態〕
図１は本実施形態に係る移動体通信システム１０の構成を示すブロック図である。
【００２８】
図１に示すように、本実施形態に係る移動体通信システム１０は、ＧＳＭ方式及びＷ−ＣＤＭＡ方式の両方式による通信が可能なネットワークを備えている。すなわち、移動体通信システム１０は、携帯電話機１と、ＧＳＭ方式による通信を制御するＧＳＭアクセスネットワーク（Ａｃｃｅｓｓ  Ｎｅｔｗｏｒｋ）２と、Ｗ−ＣＤＭＡ方式による通信を制御するＷ−ＣＤＭＡアクセスネットワーク（Ａｃｃｅｓｓ  Ｎｅｔｗｏｒｋ）３と、ＧＳＭ及びＷ−ＣＤＭＡの両方式による通信を統括制御する３Ｇコアネットワーク（Ｃｏｒｅ  Ｎｅｔｗｏｒｋ）４と、を備えて構成されている。
【００２９】
このうち携帯電話機（移動体通信端末装置）１はＧＳＭ側のネットワークとＷ−ＣＤＭＡ側のネットワークとの両方に対してアクセスする機能を有している。すなわち、携帯電話機１は、ＧＳＭアクセスネットワーク２に対して、ＧＳＭ無線方式を用いてアクセスすることが可能である一方で、Ｗ−ＣＤＭＡアクセスネットワーク３に対して、Ｗ−ＣＤＭＡ無線方式を用いてアクセスすることが可能に構成されている。
【００３０】
また、ＧＳＭアクセスネットワーク２は、ＧＳＭ方式による無線通信を制御するネットワーク装置（ＧＳＭネットワーク装置）であり、Ｗ−ＣＤＭＡアクセスネットワーク３は、Ｗ−ＣＤＭＡ方式による無線通信を制御するネットワーク装置（Ｗ−ＣＤＭＡネットワーク装置）である。
【００３１】
３Ｇコアネットワーク（第３世代コアネットワーク）４は、ＧＳＭとＷ−ＣＤＭＡの両方式による無線通信を統括制御するコアネットワーク装置であり、呼制御や移動管理を行う。この３Ｇコアネットワーク４は、ＧＳＭアクセスネットワーク２及びＷ−ＣＤＭＡアクセスネットワーク３の双方と通信可能となっている。
【００３２】
図２は携帯電話機１の構成を示すブロック図である。
【００３３】
図２に示すように、携帯電話機１は、例えば、制御部１０１、マイク１０２、カメラ１０３、キーボード１０４、記憶装置１０５、表示部１０６、スピーカ１０７、Ｗ−ＣＤＭＡ無線機１０８、ＧＳＭ無線機１０９を備えて構成されている。
【００３４】
このうち制御部１０１は、マイク１０２、カメラ１０３、キーボード１０４、記憶装置１０５、表示部１０６、スピーカ１０７、Ｗ−ＣＤＭＡ無線機１０８及びＧＳＭ無線機１０９を統括制御するものであり、例えばＣＰＵ（Ｃｅｎｔｒａｌ  Ｐｒｏｃｅｓｓｉｎｇ  Ｕｎｉｔ）により構成されている。
【００３５】
マイク１０２は通話の際に音声入力を行う装置である。
【００３６】
カメラ１０３は画像の入力を行う装置であり、写真撮影に用いられる他、Ｗ−ＣＤＭＡ特有のＴＶ電話の際にも使用される。
【００３７】
キーボード１０４はユーザからの入力を行う装置であり、操作キーを複数備えて構成されている。
【００３８】
記憶装置１０５は、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）を備えて構成され、このうちＲＯＭは制御部１０１の制御プログラムなどを記憶し、ＲＡＭはＣＰＵ１０１の作業領域などとして機能する。
【００３９】
表示部１０６は画像の表示を行うＬＣＤ（Ｌｉｑｕｉｄ  Ｃｒｙｓｔａｌ  Ｄｉｓｐｌａｙ）或いはその他の表示装置からなり、文字情報や写真画像の表示の他、ＴＶ電話の際のモニターとしても機能する。
【００４０】
スピーカ１０７は通話の際の音声出力を行う装置である。
【００４１】
Ｗ−ＣＤＭＡ無線機１０８は、Ｗ−ＣＤＭＡ無線方式により無線信号の入出力を行う装置であり、Ｗ−ＣＤＭＡアクセスネットワーク３との間で相互に通信可能に構成されている。
【００４２】
ＧＳＭ無線機１０９は、ＧＳＭ無線方式により無線信号の入出力を行う装置であり、ＧＳＭアクセスネットワーク２との間で相互に通信可能に構成されている。
【００４３】
ここで、３Ｇコアネットワーク４は、携帯電話機１に対してＷ−ＣＤＭＡ側の着信が発生したことを検出した場合に、該携帯電話機１に対してＷ−ＣＤＭＡ側の着信が発生した旨を示す情報（Ｗ−ＣＤＭＡ着信発生通知情報）を、ＧＳＭアクセスネットワーク２及びＷ−ＣＤＭＡアクセスネットワーク３の双方に対して送信する処理を行うように構成されている。すなわち、３Ｇコアネットワーク４は、Ｗ−ＣＤＭＡ着信発生通知手段を備えている。より具体的には、本実施形態の場合、３Ｇコアネットワーク４は、Ｗ−ＣＤＭＡ着信発生通知情報を、ページング要求に添付して、ＧＳＭアクセスネットワーク２及びＷ−ＣＤＭＡアクセスネットワーク３にそれぞれ送信するように構成されている。
【００４４】
また、ＧＳＭアクセスネットワーク２は、Ｗ−ＣＤＭＡ着信発生通知情報が添付されたページング要求を受信すると、該ページング要求に基づくページングメッセージ（Ｐａｇｉｎｇ Ｍｅｓｓａｇｅ）にＷ−ＣＤＭＡ着信発生通知情報を添付して、該当する携帯電話機１に対して送信するように構成されている。すなわち、ＧＳＭアクセスネットワーク２は、ページングメッセージ送信手段を備えている。
【００４５】
また、携帯電話機１の制御部１０１は、ＧＳＭ側の着信に対する待ち受け状態時に、Ｗ−ＣＤＭＡ着信発生通知情報が添付されたページングメッセージをＧＳＭアクセスネットワーク２から受信した場合に、Ｗ−ＣＤＭＡ側の着信に対する待ち受け状態に切り替える切替処理を行うように構成されている。すなわち、制御部１０１は、待受状態切替手段を構成している。
【００４６】
更に、制御部１０１は、上記切替処理後に、Ｗ−ＣＤＭＡ着信発生通知情報に対して応答するメッセージ（Ｗ−ＣＤＭＡ着信発生通知応答メッセージ）を、Ｗ−ＣＤＭＡアクセスネットワーク３に対して送信する処理を、Ｗ−ＣＤＭＡ無線機１０８に行わせる。すなわち、制御部１０１及びＷ−ＣＤＭＡ無線機１０８により、通知応答メッセージ送信手段が構成されている。
【００４７】
なお、Ｗ−ＣＤＭＡアクセスネットワーク３は、携帯電話機１から受信したＷ−ＣＤＭＡ着信発生通知応答メッセージを、３Ｇコアネットワーク４に転送する処理を行う。
【００４８】
加えて、３Ｇコアネットワーク４は、Ｗ−ＣＤＭＡ着信発生通知応答メッセージを、着信に該当する携帯電話機１から、Ｗ−ＣＤＭＡアクセスネットワーク３を介して受信した場合に、該着信を継続させる処理を行うように構成されている。すなわち、３Ｇコアネットワーク４は、着信継続処理手段を備えている。
【００４９】
なお、以上において、図１に示すＧＳＭアクセスネットワーク２、Ｗ−ＣＤＭＡアクセスネットワーク３及び３Ｇコアネットワーク４は、当業者にとってよく知られているため、その詳細な構成は省略する。
【００５０】
次に、図３のフローチャートを参照して、動作を説明する。
【００５１】
図３に示すのは、携帯電話機１、ＧＳＭアクセスネットワーク２、Ｗ−ＣＤＭＡアクセスネットワーク３及び３Ｇコアネットワーク４の協働により実行される処理である。
【００５２】
なお、ここでは、当初の段階（ステップＳ２０１）で携帯電話機１がＧＳＭアクセスネットワーク２に対して待ち受けしている（ＧＳＭ側の着信に対する待ち受け状態となっている）ケースについて説明する。
【００５３】
この状態で、携帯電話機１に対して、Ｗ−ＣＤＭＡ側の着信（ＴＶ電話或いはその他）が発生すると、３Ｇコアネットワーク４は該着信を検出する（ステップＳ２０２）。
【００５４】
このとき、３Ｇコアネットワーク４は携帯電話機１がどちら側（ＧＳＭ側又はＷ−ＣＤＭＡ側）の着信に対して待ち受けしているか分からない。
【００５５】
このため、３Ｇコアネットワーク４は、ＧＳＭアクセスネットワーク２及びＷ−ＣＤＭＡアクセスネットワーク３の双方に対してページング（Ｐａｇｉｎｇ）要求を送信する（ステップＳ２０３）。ここで、このページング要求にはＷ−ＣＤＭＡ側の着信である旨の情報（Ｗ−ＣＤＭＡ着信発生通知情報）を添付する。
【００５６】
Ｗ−ＣＤＭＡアクセスネットワーク３は、３Ｇコアネットワーク４からステップＳ２０３にて送信されたページング要求を受信すると、該ページング要求に基づくページングメッセージ（Ｐａｇｉｎｇ Ｍｅｓｓａｇｅ）を携帯電話機１に対して送信する（ステップＳ２０４）。しかし、携帯電話機１はＧＳＭ側に対して待ち受けしているため、ステップＳ２０４にて送信されたページングメッセージは携帯電話機１では受信されない。
【００５７】
他方、ＧＳＭアクセスネットワーク２は、３Ｇコアネットワーク４からステップＳ２０３にて送信されたページング要求を受信すると、該ページング要求に基づくページングメッセージを携帯電話機１に対して送信する（ステップＳ２０５）。ここで、このページングメッセージには、Ｗ−ＣＤＭＡ側の着信である旨の情報（Ｗ−ＣＤＭＡ着信発生通知情報）を添付する。
【００５８】
続いて、携帯電話機１のＧＳＭ無線機１０９は、ＧＳＭアクセスネットワーク２からステップＳ２０５にて送信されたページングメッセージを受信する。
【００５９】
続いて、携帯電話機１の制御部１０１は、受信したページングメッセージにはＷ−ＣＤＭＡ側の着信である旨の情報が付されており、しかも、該ページングメッセージをＧＳＭ無線機１０９により受信したことから、待ち受け状態を、それまでのＧＳＭ側の待ち受け状態から、Ｗ−ＣＤＭＡ側の待ち受け状態へと切り替える処理（切替処理）を行う（ステップＳ２０６）。
【００６０】
更に、制御部１０１は、Ｗ−ＣＤＭＡ無線機１０８にページング応答メッセージ（Ｐａｇｉｎｇ Ｒｅｓｐｏｎｓｅ Ｍｅｓｓａｇｅ）を送信させる処理を行い、これを受けて、Ｗ−ＣＤＭＡ無線機１０８はページング応答メッセージをＷ−ＣＤＭＡアクセスネットワーク３に対して送信する（ステップＳ２０７）。
【００６１】
Ｗ−ＣＤＭＡアクセスネットワーク３は、携帯電話機１からのページング応答メッセージを受信すると、該受信したページング応答メッセージを３Ｇコアネットワーク４に転送する（ステップＳ２０８）。
【００６２】
ここで、上記のステップＳ２０２以降、未だ着信状態は継続している。そして、３Ｇコアネットワーク４は、Ｗ−ＣＤＭＡアクセスネットワーク３からステップＳ２０８にて転送されたページング応答メッセージを受信すると、その後もＷ−ＣＤＭＡの着信処理を継続する。
【００６３】
これにより、携帯電話機１は、ステップＳ２０２にて発生した着信の通信状態（例えばＴＶ電話の通話状態）へと移行することが可能となる。
【００６４】
以上のように、第１の実施形態によれば、ＧＳＭ側の着信に対する待ち受け中の携帯電話機１に対して、Ｗ−ＣＤＭＡ側の着信（ＴＶ電話或いはその他）が発生した場合に、Ｗ−ＣＤＭＡ側の着信が発生した旨を携帯電話機１に通知し、携帯電話機１がＷ−ＣＤＭＡ側に待ち受けし直した後も着信動作を継続するので、携帯電話機１がＧＳＭ側の着信に対する待ち受け中であっても、該携帯電話機１はＷ−ＣＤＭＡ側の着信に応答して通信状態へと移行することができる。
【００６５】
〔第２の実施形態〕
次に、第２の実施形態について説明する。
【００６６】
なお、第２の実施形態における携帯電話機１及び移動体通信システム１０は、基本構成は上記の第１の実施形態と同様であり、具体的な処理内容のみが以下に説明するように上記の第１の実施形態と異なるため、同様の構成要素には同一の符号を付し、その説明を省略する。
【００６７】
本実施形態の場合、３Ｇコアネットワーク４は、携帯電話機１に対してＷ−ＣＤＭＡ側の着信が発生したことを検出した場合にも、標準仕様のページング要求をＧＳＭアクセスネットワーク２及びＷ−ＣＤＭＡアクセスネットワーク３にそれぞれ送信するように構成されている（３Ｇコアネットワーク４は、ページング要求送信手段を備えている）。
【００６８】
また、ＧＳＭアクセスネットワーク２は、携帯電話機１に対してＷ−ＣＤＭＡ側の着信が発生した場合にも、３Ｇコアネットワーク４からのページング要求に基づき、標準仕様のページングメッセージを該当する携帯電話機１に対して送信するように構成されている。
【００６９】
なお、携帯電話機１の制御部１０１は、ＧＳＭアクセスネットワーク２からのページングメッセージに応答するページング応答メッセージを送信する処理を、ＧＳＭ無線機１０９に行わせるように構成され、ＧＳＭアクセスネットワーク２は、携帯電話機１からのページング応答メッセージを３Ｇコアネットワーク４に転送するように構成されている。
【００７０】
また、３Ｇコアネットワーク４は、Ｗ−ＣＤＭＡ側の着信に基づくページング要求に応じて携帯電話機１から送信されるページング応答メッセージが、ＧＳＭアクセスネットワーク２及びＷ−ＣＤＭＡアクセスネットワーク３の何れから転送されてくるのかを判定するように構成されている。そして、Ｗ−ＣＤＭＡ側の着信であるにも拘わらず、ページング応答メッセージがＧＳＭアクセスネットワーク２側から転送されたと判定した場合、携帯電話機１に対してＷ−ＣＤＭＡ側に待ち受けし直しを行わせるための特別なＳＭＳメッセージ（Ｓｈｏｒｔ Ｍｅｓｓａｇｅ Ｓｅｒｖｉｃｅ ｍｅｓｓａｇｅ）、すなわち、該携帯電話機１に対してＷ−ＣＤＭＡ側の着信が発生した旨を示す情報（Ｗ−ＣＤＭＡ着信発生通知情報）を送信するように、３Ｇコアネットワーク４は構成されている（３Ｇコアネットワーク４は、Ｗ−ＣＤＭＡ着信発生通知手段を備えている）。
【００７１】
他方、携帯電話機１の制御部１０１は、３Ｇコアネットワーク４からのＳＭＳメッセージを受信した場合に、通信状態を一旦切断する処理と、通信を切断する旨のメッセージ（切断メッセージ）を３Ｇコアネットワーク４へ送信する処理と、をＧＳＭ無線機１０９に行わせ、更に、待受状態を、Ｗ−ＣＤＭＡ側の着信に対する待ち受け状態に切り替える切替処理を行うように構成されている。すなわち、制御部１０１は待受状態切替手段を構成し、制御部１０１及びＧＳＭ無線機１０９により切断処理手段と切断メッセージ送信手段とが構成されている。
【００７２】
また、３Ｇコアネットワーク４は、携帯電話機１からの切断メッセージを受信すると、再度のページング要求を、ＧＳＭアクセスネットワーク２及びＷ−ＣＤＭＡアクセスネットワーク３のうち、Ｗ−ＣＤＭＡアクセスネットワーク３に対してのみ送信するように構成されている（３Ｇコアネットワーク４は、再ページング要求送信手段を備えている）。なお、Ｗ−ＣＤＭＡアクセスネットワーク３は、この再度のページング要求を受信すると、該ページング要求に基づくページングメッセージを携帯電話機１に対して送信し、携帯電話機１は、ページングメッセージに応じてページング応答メッセージをＷ−ＣＤＭＡアクセスネットワーク３に対して送信する。また、Ｗ−ＣＤＭＡアクセスネットワーク３は、このページング応答メッセージを３Ｇコアネットワーク４に転送する。
【００７３】
加えて、３Ｇコアネットワーク４は、この再度のページング応答メッセージをＷ−ＣＤＭＡアクセスネットワーク３から受信すると、着信を継続させる処理を行うように構成されている（３Ｇコアネットワーク４は、着信継続処理手段を備えている）。
【００７４】
図４は、第２の実施形態の場合の携帯電話機１、ＧＳＭアクセスネットワーク２、Ｗ−ＣＤＭＡアクセスネットワーク３及び３Ｇコアネットワーク４の協働により実行される処理である。
【００７５】
なお、ここでも、上記の第１の実施形態の場合と同様に、当初の段階（図４のステップＳ３０１）で携帯電話機１がＧＳＭアクセスネットワーク２に対して待ち受けしているケースについて説明する。
【００７６】
この状態で、携帯電話機１に対して、Ｗ−ＣＤＭＡ方式側の着信（ＴＶ電話或いはその他）が発生すると、３Ｇコアネットワーク４は該着信を検出する（ステップＳ３０２）。
【００７７】
このとき、３Ｇコアネットワーク４は携帯電話機１がどちら側（ＧＳＭ側又はＷ−ＣＤＭＡ側）の着信に対して待ち受けしているか分からない。
【００７８】
このため、３Ｇコアネットワーク４は、ＧＳＭアクセスネットワーク２及びＷ−ＣＤＭＡアクセスネットワーク３の双方に対してページング要求を送信する（ステップＳ３０３）。ここで、上記の第１の実施形態の場合とは異なり、このページング要求にはＷ−ＣＤＭＡ側の着信である旨の情報（Ｗ−ＣＤＭＡ着信発生通知情報）は添付せず、標準仕様どおりのページング要求を送信する。
【００７９】
Ｗ−ＣＤＭＡアクセスネットワーク３は、３Ｇコアネットワーク４からステップＳ３０３にて送信されたページング要求を受信すると、該ページング要求に基づくページングメッセージを携帯電話機１に対して送信する（ステップＳ３０４）。しかし、携帯電話機１はＧＳＭ側に対して待ち受けしているため、ステップＳ３０４にて送信されたページングメッセージは携帯電話機１では受信されない。
【００８０】
他方、ＧＳＭアクセスネットワーク２は、３Ｇコアネットワーク４からステップＳ３０３にて送信されたページング要求を受信すると、該ページング要求に基づくページングメッセージを携帯電話機１に対して送信する（ステップＳ３０５）。ここで、上記の第１の実施形態の場合とは異なり、このページングメッセージにはＷ−ＣＤＭＡ側の着信である旨の情報は添付せず、標準仕様どおりのページングメッセージを送信する。
【００８１】
続いて、携帯電話機１のＧＳＭ無線機１０９は、ＧＳＭアクセスネットワーク２から送信されたページングメッセージを受信する。
【００８２】
続いて、携帯電話機１の制御部１０１は、ＧＳＭ無線機１０９にページング応答メッセージ（Ｐａｇｉｎｇ Ｒｅｓｐｏｎｓｅ ｍｅｓｓａｇｅ）を送信させる処理を行い、これを受けて、ＧＳＭ無線機１０９はページング応答メッセージをＧＳＭアクセスネットワーク２に対して送信する（ステップＳ３０６）。
【００８３】
ＧＳＭアクセスネットワーク２は、携帯電話機１からのページング応答メッセージを受信すると、該受信したページング応答メッセージを３Ｇコアネットワーク４に転送する（ステップＳ３０７）。
【００８４】
続いて、３Ｇコアネットワーク４は、ＧＳＭアクセスネットワーク２から転送されたページング応答メッセージを受信すると、上記ステップＳ３０２で発生した着信はＷ−ＣＤＭＡ側の着信であるにも拘わらず、該着信を携帯電話機１がＧＳＭ側で受信したことを認識する。
【００８５】
すると、３Ｇコアネットワーク４は、携帯電話機１に対してＷ−ＣＤＭＡ側に待ち受けし直しを行わせるための特別なＳＭＳメッセージ（Ｓｈｏｒｔ Ｍｅｓｓａｇｅ Ｓｅｒｖｉｃｅ ｍｅｓｓａｇｅ）、すなわち、該携帯電話機１に対してＷ−ＣＤＭＡ側の着信が発生した旨を示す情報（Ｗ−ＣＤＭＡ着信発生通知情報）を送信する（ステップＳ３０８）。
【００８６】
続いて、携帯電話機１のＧＳＭ無線機１０９は、３Ｇコアネットワーク４から送信されたＳＭＳメッセージを受信する。
【００８７】
続いて、携帯電話機１の制御部１０１は、受信したＳＭＳメッセージが、Ｗ−ＣＤＭＡ側に待ち受けし直しを行わせるためのメッセージ（Ｗ−ＣＤＭＡ着信発生通知情報）であると判断し、通信状態を一旦切断する処理と、通信を切断する旨のメッセージ（切断メッセージ）を３Ｇコアネットワーク４へ送信する処理と、をＧＳＭ無線機１０９に行わせる（ステップＳ３０９）。これを受けて、ＧＳＭ無線機１０９は、通信状態を一旦切断する処理と、切断メッセージを３Ｇコアネットワーク４へ送信する処理と、を行う。
【００８８】
更に、制御部１０１は、待ち受け状態を、それまでのＧＳＭ側の待ち受け状態から、Ｗ−ＣＤＭＡ側の待ち受け状態へと切り替える処理を行う（ステップＳ３１０）。
【００８９】
他方、３Ｇコアネットワーク４は、携帯電話機１からの切断メッセージを受信すると、再度のページング要求を、ＧＳＭアクセスネットワーク２及びＷ−ＣＤＭＡアクセスネットワーク３のうち、Ｗ−ＣＤＭＡアクセスネットワーク３に対してのみ送信する（ステップＳ３１１）。
【００９０】
また、Ｗ−ＣＤＭＡアクセスネットワーク３は、３Ｇコアネットワーク４からステップＳ３１１にて送信されたページング要求を受信すると、該ページング要求に基づくページングメッセージを携帯電話機１に対して送信する（ステップＳ３１２）。
【００９１】
続いて、携帯電話機１のＷ−ＣＤＭＡ無線機１０８は、ＧＳＭアクセスネットワーク２から送信されたページングメッセージを受信する。
【００９２】
続いて、携帯電話機１の制御部１０１は、Ｗ−ＣＤＭＡ無線機１０８にページング応答メッセージを送信させる処理を行い、これを受けて、Ｗ−ＣＤＭＡ無線機１０８は、Ｗ−ＣＤＭＡアクセスネットワーク３に対しページング応答メッセージを送信する（ステップＳ３１３）。
【００９３】
Ｗ−ＣＤＭＡアクセスネットワーク３は、携帯電話機１からのページング応答メッセージを受信すると、該受信したページング応答メッセージを３Ｇコアネットワーク４に転送する（ステップＳ３１４）。
【００９４】
そして、続くステップＳ３１５以降、３Ｇコアネットワーク４は、Ｗ−ＣＤＭＡ側の着信処理を継続する。
【００９５】
これにより、携帯電話機１は、上記ステップＳ３０２にて発生した着信の通信状態へと移行することが可能となる。
【００９６】
以上のように第２の実施形態によれば、ＳＭＳを送信することによって携帯電話にＷ−ＣＤＭＡ側の着信である旨を通知するので、標準仕様通りのままのページングメッセージを用いて、ＧＳＭ待ち受け中の携帯電話に対してＷ−ＣＤＭＡ側の通信サービスに係る着信への応答を行わせることができる。
【００９７】
なお、上記の第２の実施形態においては、特別なＳＭＳの代わりに、ＵＳＳＤ（Ｕｎｓｔｒｕｃｔｕｒｅｄ  Ｓｕｐｐｌｅｍｅｎｔ  Ｓｅｒｖｉｃｅ  Ｄａｔａ）を用いても良い。或いは、上記のステップＳ３０９の切断メッセージには特別な切断理由の情報、すなわちＷ−ＣＤＭＡ側の通信に移行する旨を要求する情報を添付してもよい。
【図面の簡単な説明】
【００９８】
【図１】本発明の実施形態に係る移動体通信システムの構成を示すブロック図である。
【図２】本発明の実施形態に係る携帯電話機の構成を示すブロック図である。
【図３】第１の実施形態の場合の処理の流れを示すフローチャートである。
【図４】第２の実施形態の場合の処理の流れを示すフローチャートである。
【符号の説明】
【００９９】
１      携帯電話機（移動体通信端末装置）
１０１  制御部（待受状態切替手段）
１０８  Ｗ−ＣＤＭＡ無線機
１０９  ＧＳＭ無線機
２      ＧＳＭアクセスネットワーク（ＧＳＭネットワーク装置）
３      Ｗ−ＣＤＭＡアクセスネットワーク（Ｗ−ＣＤＭＡネットワーク装置）
４      ３Ｇコアネットワーク（コアネットワーク装置）
１０    移動体通信システム
【図１】
2005269394.tif 000003
【図２】
2005269394.tif 000004
【図３】
2005269394.tif 000005
【図４】
2005269394.tif 000006